(57)【特許請求の範囲】
【請求項１】
互いに嵌め合わされると共に長手方向に延びる雄係合部材及び雌係合部材を含み、
前記雄係合部材は、
前記長手方向に延びる基幹と、
前記基幹の両側へ横方向に延びる第１及び第２の雄係合片とを含み、
前記雌係合部材は、
前記長手方向に延びる底壁と、この底壁から立ち上がり且つ横方向に互いに対向すると共に前記第１及び第２の雄係合片が配置される溝を前記底壁と画成する第１及び第２の側壁と、
前記第１の側壁から前記第２の側壁へ向かって延びて前記基幹が通過する開口を前記第２の側壁と共に画成し且つ前記第１の雄係合片と係合する第１の雌係合片と、
前記長手方向に前記第１の雌係合片から離れていると共に前記第２の側壁から前記第１の側壁へ向かって延びて前記基幹が通過する開口を前記第１の側壁と共に画成し且つ前記第２の雄係合片と係合する第２の雌係合片とを含み、
かつ、
前記第１の雌係合片は複数の第１の雌係合片を含み、
前記第２の雌係合片は複数の第２の雌係合片を含み、
前記複数の第１の雌係合片と前記複数の第２の雌係合片とは前記長手方向において交互に配置された、
嵌合構造。
【請求項２】
前記第１の雌係合片及び第２の雌係合片の少なくとも一方は前記底壁と向き合うガイド面を有し、
このガイド面は第１又は第２の側壁の高さ方向に対して斜めに延びる、請求項１に記載の嵌合構造。
【請求項３】
前記第１の雄係合片及び第２の雄係合片の少なくとも一方は前記基幹の高さ方向に対して斜めに延びるガイド面を有する、請求項１又は請求項２のいずれかに記載の嵌合構造。
【請求項４】
前記第１の雌係合片及び第２の雌係合片の少なくとも一方は前記第１又は第２の側壁の長手方向に対して斜めに延びる斜辺を有する、請求項１乃至請求項３のいずれかに記載の嵌合構造。
【請求項５】
請求項１乃至請求項４のいずれかに記載の嵌合構造を有し、
前記雄係合部材を支持する第１の台座と、
前記雌係合部材を支持する第２の台座とを備えた、
チャック。
【請求項６】
請求項１乃至請求項４のいずれかに記載の嵌合構造を有する再封包装体。
【請求項７】
前記再封包装体は、
容器と、
前記容器の開口縁に配置されたフランジと、
前記フランジと貼り合わされて前記容器を密閉する蓋材とを含み、
前記嵌合構造は、前記フランジと前記蓋材とを開封可能に固定する
請求項６に記載の再封包装体。
【請求項８】
前記雄係合部材は前記蓋材に取り付けられ、
前記雌係合部材は前記フランジに取り付けられた
請求項７に記載の再封包装体。
【請求項９】
前記雌係合部材は前記蓋材に取り付けられ、
前記雄係合部材は前記フランジに取り付けられた
請求項７に記載の再封包装体。
【請求項１０】
前記嵌合構造は前記フランジの全周に配置された
請求項７乃至請求項９のいずれかに記載の再封包装体。
【請求項１１】
請求項５に記載のチャックを有する再封包装袋。
【発明の詳細な説明】
【技術分野】
【０００１】
本発明は、成形品同士を密着するように嵌合する嵌合構造と、その構造を有するチャックに関する。また、本発明は、嵌合構造を有する再封包装体及びチャックを有する再封包装袋に関する。
【背景技術】
【０００２】
関連の嵌合構造は、プラスチック等の成形品を密着させる。この成形方法により嵌合構造は、構造上、嵌合構造の雄型、雌型構造を各々金型から抜き取る際に、無理抜きにならないような形状に成形されるため、製造された嵌合構造の密封性は劣っていた。また、密封性を重視し、嵌合力が高くなるほど、嵌合構造は、開封及び封止のために強い力を必要とする（特許文献１参照）。
【０００３】
また、従来から容器の上部に外側方向へ張り出すフランジ部を設け、このフランジ部に蓋材の周縁を密着させて容器の開放部を密閉する包装体が知られている。かかる包装体では、フランジ部と蓋材の周縁との易剥離加工を施して容器から蓋材が容易に剥離されるよう構成して包装体の開封を行う。この場合、包装体は、蓋材の周縁に摘みを有し、再封性を有しない（特許文献２参照）。
【０００４】
【特許文献１】特開平１０−７１６１号公報
【特許文献２】特開２００５−２６３２７７号公報
【発明の開示】
【発明が解決しようとする課題】
【０００５】
本発明の課題は、高い密封性を有し且つ易開封性を有する嵌合構造、チャック、再封包装体及び包装袋を提供することにある。
【課題を解決するための手段】
【０００６】
以下、符号を付して発明の特徴を説明する。なお、符号は発明の特徴を実施形態に限定しない。
【０００７】
発明の第１の特徴は、次の嵌合構造に関する。この嵌合構造（２０）は、互いに嵌め合わされると共に長手方向に延びる雄係合部材（２１）及び雌係合部材（３１）を含む。雄係合部材（２１）は、前記長手方向に延びる基幹（２２）と、基幹（２２）の両側へ横方向に延びる第１及び第２の雄係合片（２３、２４）とを含む。雌係合部材（３１）は、前記長手方向に延びる底壁（３２）と、底壁（３２）から立ち上がり且つ横方向に互いに対向すると共に第１及び第２の雄係合片（２３、２４）が配置される溝（３９）を底壁（３２）と画成する第１及び第２の側壁（３３、３４）と、第１の側壁（３３）から第２の側壁（３４）へ向かって延びて基幹（２２）が通過する開口（３７）を第２の側壁（３４）と共に画成し且つ第１の雄係合片（２３）と係合する第１の雌係合片（３５）と、前記長手方向に第１の雌係合片（３５）から離れていると共に第２の側壁（３４）から第１の側壁（３３）へ向かって延びて基幹（２２）が通過する開口（３８）を第１の側壁（３３）と共に画成し且つ第２の雄係合片（２４）と係合する第２の雌係合片（３６）とを含み、かつ、第１の雌係合片（３５）は複数の第１の雌係合片を含み、第２の雌係合片（３６）は複数の第２の雌係合片を含み、前記複数の第１の雌係合片と前記複数の第２の雌係合片とは前記長手方向において交互に配置されている。
【０００９】
第１の雌係合片（３５Ａ）及び第２の雌係合片（３６Ａ）の少なくとも一方は底壁（３２）と向き合うガイド面（３５Ａ２、３６Ａ２）を有し、このガイド面（３５Ａ２、３６Ａ２）は第１又は第２の側壁（３３、３４）の高さ方向に対して斜めに延びてもよい。
【００１０】
第１の雄係合片（２３Ａ）及び第２の雄係合片（２４Ａ）の少なくとも一方は基幹（２２）の高さ方向に対して斜めに延びるガイド面（２３Ａ３、２４Ａ３）を有してもよい。
【００１１】
第１の雌係合片（３５Ｂ）及び第２の雌係合片（３６Ｂ）の少なくとも一方は第１又は第２の側壁（３３、３４）の長手方向に対して斜めに延びる斜辺（３５Ｂ２、３５Ｂ３、３６Ｂ２、３６Ｂ３）を有してもよい。
【００１２】
発明の第２の特徴は、次のチャック（４５）に関する。チャック（４５）は、発明の第１の特徴を備えた嵌合構造（２０）を有する。チャック（４５）は、雄係合部材（２１）を支持する第１の台座（４６）と、雌係合部材（３１）を支持する第２の台座（４７）とを備える。
【００１３】
本発明の第３の特徴は、発明の第１の特徴を備えた嵌合構造（２０）を有する再封包装体（１０）に関する。
【００１４】
再封包装体（１０）は、容器（１１）と、容器（１１）の開口縁に配置されたフランジ（１３）と、フランジ（１３）と貼り合わされて容器（１１）を密閉する蓋材（１２）とを含み、嵌合構造（２０）は、フランジ（１３）と蓋材（１２）とを開封可能に固定する。
【００１５】
雄係合部材（２１）は蓋材（１２）に取り付けられ、雌係合部材（３１）はフランジ（１３）に取り付けられてもよい。
【００１６】
雌係合部材（３１）は蓋材（１２）に取り付けられ、雄係合部材（２１）はフランジ（１３）に取り付けられてもよい。
【００１７】
嵌合構造（２０）はフランジ（１３）の全周に配置されてもよい。
【００１８】
本発明の第４の特徴は、第３の発明の特徴を備えたチャック（４５）を有する再封包装袋（４０、４０Ａ）である。
【発明の効果】
【００１９】
本発明の嵌合構造は、密封性に優れ、開封し易く、また、嵌合し易いので封止しやすい。
【００２０】
この嵌合構造を包装体に用いることで、包装体は製造時における成形方法により金型から無理なく抜き取ることができる。
【００２１】
チャックは包装体だけでなく包装袋にも設けられる。この包装体及び包装袋は高い密封性を有し、且つ、易開封及び易封止可能な再封包装体、再封包装袋となる。
【００２２】
嵌合構造は粉かみを防止する構造である。つまり、再封包装体または再封包装袋の内容物が粉体の場合、嵌合構造に粉体が詰まっていたとしても、粉体が容易に嵌合構造から抜け、粉かみを起こさないため、さらに優れた再封性を有する。
【発明を実施するための最良の形態】
【００２３】
以下、図面を参照して実施の形態を詳細に説明する。
【００２４】
第１の実施形態
第１の実施形態及び第１の実施形態の例として本発明の嵌合構造を説明する。
【００２５】
上記嵌合構造２０を、再封包装体１０に設けた形態について説明する。嵌合構造２０は、代わりに嵌合構造２０Ａ、２０Ｂ、もしくは２０Ｃ、または、これらの組み合わせの構造を用いてよい。
【００２６】
再封包装体１０の容器１１の材質は用途に応じたものを用い、特に限定されない。例えば、ポリプロピレン、ポリエチレンなどの樹脂からなるもの、ポリプロピレン／エチレンビニルアルコール共重合体／ポリプロピレンなどの多層構造からなるもの等が好ましい。
【００２７】
例えば、レトルト用容器として用いる場合は、融点がレトルト処理温度より高い材質のものを用いる。通常、レトルト処理は１２０℃近くで行われるため、それよりも融点の高いもの、例えば、ポリプロピレンを用いる。
【００２８】
易開封性の蓋材１２は、容器１１のフランジ１３に貼り付けられる。蓋材１２は、少なくとも基材層と易剥離機能を有するイージーピールフィルムからなる熱接着層とを、貼り合わせた積層体を用いる。イージーピールフィルムは用途に応じて、ポリプロピレン、ポリエチレン、ポリスチレンなどのブレンド樹脂からなり、共押出しなどの方法により製造されたフィルムでもよい。蓋材１２には、例えば、ポリエチレンテレフタレート／ＤＬ／イージーピールフィルムの積層体を用いる。ここでのＤＬはドライラミネーションを表わし、接着剤で貼り合わせていることを意味する。易剥離性の熱接着層は、容器のフランジ表面と同材質のものであれば、熱融着が容易となり、好ましい。必要に応じて、基材層と熱融着層との間にバリア性等の機能を有した中間層を用いてもよい。
【００２９】
例えば、レトルト用容器の蓋材として用いる場合は、易剥離性の熱接着層はポリプロピレン系のものを用い、中間層にアルミ箔や、金属、セラミック蒸着フィルム等を用いるなど、水蒸気に対するバリア性を有する積層体を使用する。
【００３０】
嵌合構造２０は、容器フランジ表面と、蓋材と熱融着して貼り付けるため、熱融着の容易性を考慮し、これらと同材質のものが好ましい。
【００３１】
図２、３を参照して、嵌合構造２０は、互いに嵌め合わされると共に長手方向に延びる雄及び雌係合部材２１、３１を含む。
【００３２】
雄係合部材２１は蓋材１２に取り付けられる。雄係合部材２１は、基幹２２と、基幹２２の先端に固定され、基幹２２の両側へ横方向に延びる第１及び第２の雄係合片２３、２４とを含む。
【００３３】
雌係合部材３１はフランジ１３に形成される。雌係合部材３１は、底壁３２と、底壁３２の両端から立ち上がると共に横方向に互いに対向する第１及び第２の側壁３３、３４とを有する。底壁３２並びに第１及び第２の側壁３３、３４は溝３９を画成する。
【００３４】
雌係合部材３１は、第１の側壁３３の上端から第２の側壁３４へ向かって底壁３２と平行に延びる第１の雌係合片３５を含む。雌係合部材３１は、第２の側壁３４の上端から第１の側壁３３へ向けて底壁３２と平行に延びる第２の雌係合片３６を含む。第１及び第２の雌係合片３５、３６は、それぞれ第１及び第２の雄係合片２３、２４と係合する。第１の雌係合片３５の先端と第２の側壁３４とは、それらの間に開口３７を画成する。第２の雌係合片３６の先端と第１の側壁３３とは、それらの間に開口３８を画成する。第１の雄係合部材２１の基幹２２は、開口３７、３８を貫通して、基幹２２の基端は溝３９の中に配置される。
【００３５】
図２を参照して、第１の雌係合片３５と第２の雌係合片３６とは長手方向において交互に配置される。つまり、第１の雌係合片３５と第２の雌係合片３６とは前記長手方向において離れており、位置的に重ならない。第１の雌係合片３５は隣り合う第２の雌係合片３６の間に配置される。第２の雌係合片３６は隣り合う第１の雌係合片３５の間に配置される。
【００３６】
なお、雄係合部材２１はフランジ１３に取り付けられてもよいし、雌係合部材３１は蓋材１２に取り付けられてもよい。また、嵌合構造２０はフランジ１３の全周に配置されてもよい。
【００３７】
次に、再封包装体１０の使用方法を説明する。
【００３８】
図１を参照して、容器１１に内容物を入れ、摘みを下方へ引っ張り、フランジ１３に蓋材１２を貼り合わせ、容器１１を蓋材１２で封止する。このとき、雄係合部材２１は雌係合部材３１に嵌め合わされる。すなわち、第１及び第２の雄係合片２３、２４は、それぞれ、第１及び第２の雌係合片３５、３６の表側に当たる。第１及び第２の雄係合片２３、２４は上方へ変形し、第１及び第２の雌係合片３５、３６は下方へ変形する。基幹２２は、開口３７、３８を通過し、その基端は溝３９に達する。第１及び第２の雄係合片２３、２４は、それぞれ、第１及び第２の雌係合片３５、３６を通過し、第１及び第２の雌係合片３５、３６の裏側、つまり溝３９に達する。第１及び第２の雄係合片２３、２４は、それぞれ第１及び第２の雌係合片３５、３６とは係合し、雄係合部材２１と雌係合部材２４とは嵌め合わされる。第１及び第２の雌係合片３５、３６は交互に配置されているので、嵌合構造２０はより高い密封性を達成する。
【００３９】
次に、再封包装体１０から内容物を取り出す場合、蓋材１２の摘みを持ち上げ、蓋材１２をフランジ１３から剥がして、容器１１を解放すればよい。このとき、第１及び第２の雄係合片２３、２４は、それぞれ、第１及び第２の雌係合片３５、３６の裏側に当たり、第１及び第２の雌係合片３５、３６を上方へ変形させる。基幹２２は開口３７、３８を通過し、雌係合部材３１から外に出る。第１及び第２の雄係合片２３、２４は第１及び第２の雌係合片３５、３６を通過し、第１及び第２の雌係合片３５、３６の上方へ達し、雄係合部材２１と雌係合部材３１とを解除させる。ここで、第１及び第２の雌係合片３５、３６は長手方向に交互に配置されているので、小さな力で３１雌係合部材から２１雄係合部材を解除することを許容する。これにより、嵌合構造２０は易開封性を達成する。
【００４０】
以上の再封包装体１０は、優れた密封性、易開封性、易封止性を有する。
【００４１】
再封包装体１０は、易剥離部の剥離前においては嵌合構造２０の密封性が良好なので、レトルト用容器として用いられる。また、易剥離部分を剥離後においては、嵌合構造２０を閉じることで、剥離された蓋材１２とフランジ１３との間から蒸気をぬくことができるので、再封包装体１０は電子レンジ用容器として用いられる。
【００４２】
嵌合構造２０は、開口３７、３８を有するので、内容物として粉体が溝３９に詰まった場合、粉体は容易に溝３９から開口３７、３８を通って抜ける。つまり、嵌合構造２０は粉かみを防止するので、優れた封止性を有する。
【００４３】
なお、本実施の形態における嵌合構造は、次のように変形してもよい。
【００４４】
図４（Ａ）、（Ｂ）を参照して、嵌合構造２０Ａの雄係合片２１Ａは、変形に係わる第１及び第２の雄係合片２３Ａ、２４Ａを含む。第１及び第２の雄係合片２３Ａ、２４Ａの各々は、基幹２２に対して直交するように延びる先端面２３Ａ１、２４Ａ１と、基幹２２に対して平行に延びる側面２３Ａ２、２４Ａ２とを有する。第１及び第２の雄係合片２３Ａ、２４Ａは、先端面２３Ａ１、２４Ａ１から側面２３Ａ２、２４Ａ２へ斜めに延びるガイド面としての斜面２３Ａ３、２４Ａ３を有する。すなわち、斜面２３Ａ３、２４Ａ３は、基幹２２の高さ方向に対して斜めに延びる。この斜面２３Ａ３、２４Ａ３は、各雄係合片２３Ａ、２４Ａの変形を小さくして、雌係合部材３１Ａに雄係合部材２１Ａを嵌合し易くする。
【００４５】
雌係合部材３１Ａの第１及び第２の雌係合片３５Ａ、３６Ａは、それぞれ、第１及び第２の側壁３３、３４から直交するように延びる上面３５Ａ１、３６Ａ１と、上面３５Ａ１、３６Ａ１に対して斜めに延びるガイド面としての斜面３５Ａ２、３６Ａ２を有する。すなわち、斜面３５Ａ２、３６Ａ２は、第１及び第２の側壁３３、３４から斜め上方へ延びる。この斜面３５Ａ２、３６Ａ２は、雌係合部材３１Ａから雄係合部材２１Ａを外し易くする。すなわち、斜面３５Ａ２、３６Ａ２は、第１及び第２の雌係合片３５Ａ、３６Ａの変形を小さくし、各雄係合片２３Ａ、２４Ａを上方へ案内する。
【００４６】
図５を参照して、嵌合構造２０Ｂの雌係合部材３１Ｂは変形に係わる第１及び第２の雌係合片３５Ｂ、３６Ｂを含む。第１及び第２の雌係合片３５Ｂ、３６Ｂは、第１及び第２の側壁３３、３４と平行な側辺３５Ｂ１、３６Ｂ１と、側辺３５Ｂ１、３６Ｂ１の両端から対応する側壁３３、３４へ斜めに延びる斜辺３５Ｂ２、３５Ｂ３、３６Ｂ２、３６Ｂ３とを有する。つまり、斜辺３５Ｂ２、３５Ｂ３、３６Ｂ２、３６Ｂ３は、それぞれ第１及び第２の側壁３３、３４の長手方向に対して斜めに延びる。この斜辺３５Ｂ２、３５Ｂ３、３６Ｂ２、３６Ｂ３は、小さな力で、雄係合部材２１と雌係合部材３１Ｂとを嵌合又は解除させる。
【００４７】
図６を参照して、嵌合構造２０Ｃの雌係合部材３１Ｃは、変形に係わる第１及び第２の雌係合片３５Ｃ、３６Ｃを含む。第１及び第２の雌係合片３５Ｃ、３６Ｃは、長手方向において間隔Ｓ１、Ｓ２をおいて配置される。この第１及び第２の雌係合片３５Ｃ、３６Ｃの配置は、小さな力で、雄係合部材２１と雌係合部材３１Ｃとを嵌合又は解除させる。よって、嵌合構造２０Ｃは開封性、再封性において向上する。
【００４８】
第２の実施形態
第２の実施形態及び第２の実施形態を例として本発明の嵌合構造を説明する。
【００４９】
図７（Ａ）を参照して、再封包装袋４０、例えば、スタンディングパウチは、表材４１と、表材４１と両側縁同士で接着した裏材４２とを含む。表材４１及び裏材４２は、少なくとも基材層及び熱接着層を有する積層フィルムである。再封包装袋４０は、表材４１及び裏材４２の縦方向の周縁と熱融着された底材４４を含む。表材４１及び裏材４２は、その間に空間を画成し、縦方向の両端で開口を画成する。一方の開口は開封口４３となる。再封包装袋は、他方の開口を閉じる底材４４とを含む。
【００５０】
再封包装袋４０は、表材４１と裏材４２を封じるチャック４５を含む。図８を参照して、チャック４５は嵌合構造２０を含み、嵌合構造２０は、雄係合部材２１と、雄係合部材２１と嵌め合わされる雌係合部材３１を含む。雄係合部材２１及び雌係合部材３１の構成は、第１の実施形態のものと同じである。チャック４５は、雄係合部材２１を固定する第１の台座４６と、雌係合部材３１を固定する第２の台座４７とを含む。チャック４５は、開封口４３の下に、再封包装袋４０の上端縁と平行に位置決めされる。第１の及び第２の台座４６、４７は、それぞれ、表材４１及び裏材４２に熱融着などによって固定される。第１及び第２の台座４６、４７の材質については、再封包装袋４０を形成する積層フィルムの熱接着層と同じ材質であれば熱融着が容易となり、好ましい。
【００５１】
以上の再封包装袋４０によれば、嵌合構造２０を含むチャック４５を有するので、開封性、封止性、密封性に優れる。
【００５２】
チャック４５は、開口３７、３８を有するので、内容物として粉体が溝３９に詰まった場合、粉体は容易に溝３９から開口３７、３８を通って抜ける。つまり、チャック４５は粉かみを防止するので、さらに優れた封止性を有する。
【００５３】
また、チャック４５は、嵌合構造２０に限らず、嵌合構造２０Ａ、２０Ｂ、若しくは、嵌合構造２０Ｃ、又は、これらの組み合わせの構造を用いてもよい。
【００５４】
次に、本実施の形態の変形に係わる再封包装袋４０Ａを説明する。
【００５５】
図７（Ｂ）を参照して、再封包装袋４０Ａの表材４１及び裏材４２は上縁において熱融着されている。チャック４５は表材４１及び裏材４２の側縁から上縁へ斜めに取り付けられる。これにより、チャック４５は再封包装袋４０Ａを上縁から側縁へ斜めに開封することを許容する。
【００５６】
図９を参照して、変形に係わるチャック４５Ａの嵌合構造２０Ｄは、支持部材５１を有した雌係合部材３１Ｄを含む。支持部材５１は、底壁３２から下方へ延び、第２の台座４７に固定される。
【００５７】
なお、本発明は実施の形態に限定されない。本発明の再封包装袋は、スタンディングパウチの他、三方袋、ガゼット袋、角底付ガゼット袋等を含む。
【図面の簡単な説明】
【００５８】
【図１】本発明の第１の実施形態に係わる再封包装体の側面図である。
【図２】図１に示す嵌合構造の平面図である。
【図３】（Ａ）は図１に示すＩＩＩＡ−ＩＩＩＡに沿った断面図であり、（Ｂ）はＩＩＩＢ−ＩＩＩＢに沿った断面図である。
【図４】変形の形態に係わる嵌合構造の断面図であり、（Ａ）及び（Ｂ）は夫々図３（Ａ）、（Ｂ）に対応する。
【図５】別の変形の形態に係わる嵌合構造の平面図である。
【図６】別の変形の形態に係わる嵌合構造の平面図である。
【図７】（Ａ）は本発明の第２の実施形態に係わる再封包装袋の立面図であり、（Ｂ）は変形の形態に係わる再封包装袋の立面図である。
【図８】図７に示す再封包装袋のチャックの断面図である。
【図９】変形の形態に係わるチャックの断面図である。
【符号の説明】
【００５９】
１０  再封包装体
１１  容器
１２  蓋材
１３  フランジ
２０  嵌合構造
２１  雄係合部材
２２  基幹
２３  第１の雄係合片
２４  第２の雄係合片
３１  雌係合部材
３２  底壁
３３  第１の側壁
３４  第２の側壁
３５  第１の雌係合片
３６  第２の雌係合片
３７  開口
３８  開口
３９  溝
４０  再封包装袋
４６  第１の台座
４７  第２の台座
【図１】
0005073453.tif 000002
【図２】
0005073453.tif 000003
【図３】
0005073453.tif 000004
【図４】
0005073453.tif 000005
【図５】
0005073453.tif 000006
【図６】
0005073453.tif 000007
【図７】
0005073453.tif 000008
【図８】
0005073453.tif 000009
【図９】
0005073453.tif 000010